(57)【要約】【課題】導電金具装置をソケット本体の１方向から組み込み可能であって、かつ、導電金具装置の組み込み後に、その中心片を折り曲げ加工することなく使用可能なソケットを提供することを目的とする。【解決手段】ねじ込みソケット１０のランプ受け部２３と導電金具収納部２１とを連結する連結部２４に、バネ性のある導電部材からなる中心片４１を挿通する中心片挿通口３３を設ける。中心片４１は、中心片挿通口３３からランプ受け部２３の内側に突出してランプ受け部２３に装着されるランプ口金の先端部に接触可能な所定の形状を有している。中心片挿通口３３は、中心片４１の形状を上記所定の形状に保持したまま中心片４１を挿通可能な形状を有している。【選択図】図５
2008300252.tif 000002
【特許請求の範囲】
【請求項１】
絶縁部材からなるランプ受け部であって、ねじ込み式のランプ口金を装着可能なランプ受け部と、
バネ性のある導電部材からなる中心片を有し、前記ランプ受け部に装着されるランプ口金に前記中心片を介して給電する導電金具装置と、
バネ性のある導電部材からなる側片を有し、前記ランプ受け部に装着されるランプ口金に前記側片を介して給電する他の導電金具装置と、
前記導電金具装置と前記他の導電金具装置とを収納する導電金具収納部と、
前記ランプ口金が前記ランプ受け部の所定の位置より奥に装着されている場合に前記中心片に当接するように突起した突起部と、
前記ランプ受け部と前記導電金具収納部とを連結する連結部であって、前記ランプ受け部と前記導電金具収納部との間に、前記中心片を挿通する中心片挿通口と前記側片を挿通する側片挿通口とを有する連結部とを備え、
前記中心片は、前記中心片挿通口から前記ランプ受け部の内側に突出して前記ランプ受け部に装着されるランプ口金の先端部に接触可能な所定の形状を有し、
前記中心片挿通口は、前記中心片の形状を前記所定の形状に保持したまま前記中心片を挿通可能な形状を有し、
前記側片は、前記側片挿通口から前記ランプ受け部の内側に突出して前記ランプ受け部に装着されるランプ口金のねじ部に接触可能な一定の形状を有し、
前記側片挿通口は、前記側片の形状を前記一定の形状に保持したまま前記側片を挿通可能な形状を有することを特徴とするランプソケット。
【請求項２】
前記突起部は、前記連結部に設けられ、前記中心片挿通口の周縁部の一部をなすことを特徴とする請求項１に記載のランプソケット。
【請求項３】
前記連結部は、前記ランプ口金が前記ランプ受け部の所定の位置より奥に装着されている場合に前記突起部が前記中心片に当接する面と逆側の面に補強リブを有することを特徴とする請求項２に記載のランプソケット。
【請求項４】
前記導電金具装置は、長手状の導電板を有し、
前記中心片は、前記導電板の長手方向の一端から延設され、所定の角度及び方向に折り曲げ加工され、
前記中心片挿通口は、前記中心片の形状を前記所定の形状に保持したまま前記中心片を前記導電板の長手方向に対して一定の角度に傾け、回転動作させながら挿通可能な形状を有することを特徴とする請求項１から３までのいずれかに記載のランプソケット。
【請求項５】
前記導電金具収納部は、開口部を有し、前記開口部から前記導電金具装置を収納し、
前記ランプソケットは、さらに、
絶縁部材からなるカバーであって、前記開口部を閉塞するカバーを備え、
前記突起部は、前記カバーに設けられ、前記中心片挿通口から前記ランプ受け部の内側に突出することを特徴とする請求項１に記載のランプソケット。
【請求項６】
前記導電金具装置は、長手状の導電板を有し、
前記中心片は、前記導電板の長手方向の一端から延設され、所定の角度及び方向に折り曲げ加工され、
前記中心片挿通口は、前記導電板の長手方向における前記中心片の幅より大きな幅を有することを特徴とする請求項１から５までのいずれかに記載のランプソケット。
【請求項７】
請求項１から７までのいずれかに記載のランプソケットと、
前記ランプソケットが取り付けられる器具本体とを備えることを特徴とする照明器具。
【発明の詳細な説明】
【技術分野】
【０００１】
本発明は、ランプソケット及びランプソケットを搭載した照明器具に関するものである。本発明は、特に、ねじ込みソケットに関するものである。
【背景技術】
【０００２】
主にねじ込み方式の口金を有するランプを点灯する照明器具に搭載されるソケットとして、円筒状のソケット本体の内部に、ランプ口金を装着できる受け金をもち、かつ、受け金に装着したランプ口金の先端部に接触可能な中心片と電源供給用の端子金具を組み合わせた導電金具装置をもつものが知られている（例えば、特許文献１〜５参照）。
【特許文献１】特開２０００−１６４３０８号公報
【特許文献２】特開平８−１３００７３号公報
【特許文献３】特開平８−１３００７６号公報
【特許文献４】特開平８−１３００７７号公報
【特許文献５】特開平８−２２８７６号公報
【発明の開示】
【発明が解決しようとする課題】
【０００３】
上記のような従来のソケットでは、ソケット本体に設けたランプ挿入口から受け金を組み込むとともに、ランプ挿入口の逆側、即ち、ソケット本体の底部に設けた開口部から端子金具を組み込んで、受け金の底板と端子金具をハトメにより連結している。また、受け金と同様に中心片をランプ挿入口から組み込んで、中心片と端子金具をハトメにより連結している（例えば、特許文献１の図７参照）。
【０００４】
このようなソケットでは、導電金具装置をソケット本体に組み込む際に、中心片と端子金具をランプ挿入口側と開口部側の２方向から別々に組み込む必要があるため、ソケットの組み立て作業に手間がかかるという課題があった。さらに、その結果として、ソケットのコストが高くなるという課題があった。
【０００５】
また、従来の他のソケットでは、上記と同様に受け金をソケット本体のランプ挿入口から組み込むとともに、ソケット本体の左右方向に速結端子金具をもち、かつ、受け金に装着したランプ口金の先端部に接触可能な中心片をもつ導電金具装置をランプ挿入口の逆側の開口部から組み込んで、受け金の底板に設けた穴に中心片を挿通している。また、同様にソケット本体の左右方向に速結端子金具をもち、かつ、受け金に装着したランプ口金のねじ部に接触可能な側片をもつ他の導電金具装置を開口部から組み込んで、受け金の底板に設けた穴に側片を挿通している（例えば、特許文献２〜５参照）。
【０００６】
このようなソケットでは、ランプ口金を受け金の奥へねじ込んでいくと、ランプ口金の先端部が中心片を押し込んで中心片が徐々に弾性変形する。そして、ランプ口金を受け金の奥へねじ込みすぎると、中心片が塑性変形してしまう。そのため、ランプ口金が受け金の所定の位置までねじ込まれた場合に、受け金の底板が中心片と当接して中心片がそれ以上奥へ押し込まれないようにする必要がある。また、このとき、受け金の底板が中心片と当接する部分は、中心片が塑性変形しないように面積を大きくとる必要がある。そこで、上記のようなソケットでは、中心片を折り曲げ加工せずに、中心片の先端が受け金の底板平面に対して略垂直方向を向いた状態で中心片を受け金の底板の穴に挿入する。そして、中心片を受け金の底板の穴に挿通した後に、中心片を折り曲げ加工して、中心片の先端がランプ口金の先端部に接触可能な状態に中心片を成形する（例えば、特許文献２の段落［００１４］、［００１５］参照）。
【０００７】
このようなソケットでは、導電金具装置をソケット本体に組み込む際に、中心片又は側片と速結端子金具を開口部側の１方向から組み込むことができるものの、中心片を組み込んだ後に折り曲げ加工する必要があるため、ソケットの組み立て後の加工作業に手間がかかるという課題があった。さらに、その結果として、ソケットのコストが高くなるという課題があった。
【０００８】
本発明は、例えば、導電金具装置をソケット本体の１方向から組み込み可能であって、かつ、導電金具装置の組み込み後に、その中心片を折り曲げ加工することなく使用可能なソケットを提供することを目的とする。そして、組み立て作業が容易で低コストのソケットを提供することを目的とする。
【課題を解決するための手段】
【０００９】
本発明の一の態様に係るランプソケットは、
絶縁部材からなるランプ受け部であって、ねじ込み式のランプ口金を装着可能なランプ受け部と、
バネ性のある導電部材からなる中心片を有し、前記ランプ受け部に装着されるランプ口金に前記中心片を介して給電する導電金具装置と、
バネ性のある導電部材からなる側片を有し、前記ランプ受け部に装着されるランプ口金に前記側片を介して給電する他の導電金具装置と、
前記導電金具装置と前記他の導電金具装置とを収納する導電金具収納部と、
前記ランプ口金が前記ランプ受け部の所定の位置より奥に装着されている場合に前記中心片に当接するように突起した突起部と、
前記ランプ受け部と前記導電金具収納部とを連結する連結部であって、前記ランプ受け部と前記導電金具収納部との間に、前記中心片を挿通する中心片挿通口と前記側片を挿通する側片挿通口とを有する連結部とを備え、
前記中心片は、前記中心片挿通口から前記ランプ受け部の内側に突出して前記ランプ受け部に装着されるランプ口金の先端部に接触可能な所定の形状を有し、
前記中心片挿通口は、前記中心片の形状を前記所定の形状に保持したまま前記中心片を挿通可能な形状を有し、
前記側片は、前記側片挿通口から前記ランプ受け部の内側に突出して前記ランプ受け部に装着されるランプ口金のねじ部に接触可能な一定の形状を有し、
前記側片挿通口は、前記側片の形状を前記一定の形状に保持したまま前記側片を挿通可能な形状を有することを特徴とする。
【発明の効果】
【００１０】
本発明の一の態様によれば、ランプソケットのランプ受け部と導電金具収納部とを連結する連結部に、バネ性のある導電部材からなる中心片を挿通する中心片挿通口が設けられ、中心片が、中心片挿通口からランプ受け部の内側に突出してランプ受け部に装着されるランプ口金の先端部に接触可能な所定の形状を有しており、中心片挿通口が、中心片の形状を上記所定の形状に保持したまま中心片を挿通可能な形状を有しているため、導電金具装置をランプソケットの本体の１方向から組み込み可能であって、かつ、導電金具装置の組み込み後に、その中心片を折り曲げ加工することなく使用可能なランプソケットを提供することができる。さらに、その結果として、組み立て作業が容易で低コストのランプソケットを提供することができる。
【発明を実施するための最良の形態】
【００１１】
以下、本発明の実施の形態について、図を用いて説明する。
【００１２】
実施の形態１．
図１は、ねじ込みソケット１０を搭載した照明器具７０の部分断面図（正面図）である。
【００１３】
照明器具７０の器具本体８０には、本実施の形態に係るランプソケットとして、ねじ込みソケット１０がネジで取り付けられている。ねじ込みソケット１０の本体２０には、ねじ込み式の口金をもつランプ９０が装着されている。また、ねじ込みソケット１０の本体２０の底部には、カバー６０が取り付けられている。図１では、照明器具７０をダウンライトとし、ランプ９０を白熱灯とした例を示している。
【００１４】
本実施の形態では、図２〜６に示すねじ込みソケット１０を使用することにより、安価な照明器具７０を提供することができる。
【００１５】
図２は、ねじ込みソケット１０の分解斜視図である。
【００１６】
ねじ込みソケット１０の組み立て手順（ねじ込みソケット１０の製造方法）は、以下の通りである（図２において、矢印Ａはねじ込みソケット１０の各部品の組み込み方向を示す）。
（１）まず、ねじ込みソケット１０の本体２０の底部（図２では、本体２０の底面を上向きに、本体２０の上面を下向きに示している）に設けられた導電金具収納部２１の開口部２２から、１対の導電金具装置４０，５０をねじ込みソケット１０の本体２０に組み込む。
（２）次に、導電金具収納部２１の開口部２２から、１対の解除ボタン１１，１２をねじ込みソケット１０の本体２０に組み込む。本実施の形態において、解除ボタン１１，１２を設けることは任意である。
（３）次に、導電金具収納部２１の開口部２２をカバー６０で閉塞する。
（４）最後に、ネジ１３，１４でねじ込みソケット１０の本体２０にカバー６０を固定する。本実施の形態において、ネジ１３，１４を用いることは任意である。
【００１７】
図３（ａ）は、上記組み立て手順（２）までが実施された状態（カバー６０が外された状態）のねじ込みソケット１０の底面図である。図３（ｂ）は、上記組み立て手順（４）までが実施された状態（カバー６０が取り付けられた状態）のねじ込みソケット１０の底面図である。図４（ａ）は、図３（ｂ）に対応するねじ込みソケット１０の平面図である。図４（ｂ）は、図３（ｂ）及び図４（ａ）に対応するねじ込みソケット１０のＡ−Ａ断面図である。
【００１８】
ねじ込みソケット１０の本体２０は、前述した導電金具収納部２１のほか、ランプ受け部２３、連結部２４、ネジ穴２５，２６を備える。
【００１９】
ネジ穴２５，２６は、ねじ込みソケット１０を照明器具７０に取り付けるためのものである。つまり、ねじ込みソケット１０の本体２０は、ネジ穴２５，２６を介して、照明器具７０の器具本体８０にねじ留めされる。
【００２０】
絶縁部材からなるランプ受け部２３は、略円筒状であり、ねじ込み式のランプ９０の口金（以下、「ランプ口金」という）を装着可能である。図４（ｂ）に示すように、ランプ受け部２３の間口部分は、ランプ口金を入れやすくするため、広めに形成されている。また、ランプ受け部２３には、ランプ口金をねじ込むためのネジ山２７のほか、ねじ込みソケット１０の本体２０の金型を抜くための溝２８が設けられている。本実施の形態において、溝２８を設けることは任意である。
【００２１】
導電金具収納部２１は、略箱状であり、導電金具装置４０，５０を収納する。導電金具収納部２１は開口部２２を有しており、開口部２２から導電金具装置４０，５０を収納したり、取り出したりすることができる。導電金具収納部２１の左右方向の一端には、電線を挿入可能な電線挿入口２９，３０が設けられている。また、その左右方向の他端には、電線挿入口２９，３０のそれぞれと対になる電線挿入口３１，３２が設けられている。電線挿入口２９〜３２に挿入された電線は、解除ボタン１１，１２によって解除することができる。
【００２２】
導電金具収納部２１に収納される導電金具装置４０は、バネ性のある導電部材からなる中心片４１を有している。中心片４１は、導電金具装置４０が導電金具収納部２１に収納された状態で、連結部２４に設けられた中心片挿通口３３からランプ受け部２３の内側に突出し、ランプ受け部２３に装着されるランプ口金の先端部に先端４２が接触可能な形状（以下、「形状Ｘ」という）を有する。また、導電金具装置４０は、電線挿入口２９，３１のいずれか一方（例えば、電線挿入口２９）から挿入される電線を入力側とし、他方（例えば、電線挿入口３１）から挿入される電線を送り側として接続可能な１対の速結端子金具４３，４４を有している。導電金具装置４０は、中心片４１及び速結端子金具４３，４４を介して、ランプ受け部２３に装着されるランプ口金と電線挿入口２９，３１に挿入される電線を電気的に接続することで、ランプ９０に給電する。
【００２３】
導電金具装置４０は、バネ性のある長手状の導電板を有しており、中心片４１は、この導電板の長手方向の一端から延設されている。そして、中心片４１は、連結部２４の中心片挿通口３３からランプ受け部２３の内側に突出してランプ受け部２３に装着されるランプ口金の先端部に先端４２が接触するように、所定の角度及び方向に折り曲げ加工されている。本実施の形態では、導電金具装置４０は、一部材で形成されているものとする。つまり、導電金具装置４０は、上記の導電板の一部を折り曲げ加工することで、中心片４１と速結端子金具４３，４４を設けている。本実施の形態において、導電金具装置４０を一部材で形成することは任意であり、例えば、導電金具装置４０は、長手状の導電板と中心片４１と速結端子金具４３，４４をそれぞれ別の部材として組み合わせたものであってもよい。
【００２４】
導電金具装置４０と向き合うように導電金具収納部２１に収納される導電金具装置５０は、バネ性のある導電部材からなる側片５１を有している。側片５１は、導電金具装置５０が導電金具収納部２１に収納された状態で、連結部２４に設けられた側片挿通口３４からランプ受け部２３の内側に突出し、ランプ受け部２３に装着されるランプ口金のねじ部に接触可能な形状（以下、「形状Ｙ」という）を有する。また、導電金具装置５０は、電線挿入口３０，３２のいずれか一方（例えば、電線挿入口３２）から挿入される電線を入力側とし、他方（例えば、電線挿入口３０）から挿入される電線を送り側として接続可能な１対の速結端子金具５３，５４を有している。導電金具装置５０は、側片５１及び速結端子金具５３，５４を介して、ランプ受け部２３に装着されるランプ口金と電線挿入口３０，３２に挿入される電線を電気的に接続することで、ランプ９０に給電する。
【００２５】
導電金具装置５０は、バネ性のある長手状の導電板を有しており、側片５１は、この導電板の長手方向の一端から延設されている。そして、側片５１は、連結部２４の側片挿通口３４からランプ受け部２３の内側に突出してランプ受け部２３に装着されるランプ口金のねじ部に接触するように、所定の角度及び方向に折り曲げ加工されている。本実施の形態では、導電金具装置５０は、一部材で形成されているものとする。つまり、導電金具装置５０は、上記の導電板の一部を折り曲げ加工することで、側片５１と速結端子金具５３，５４を設けている。本実施の形態において、導電金具装置５０を一部材で形成することは任意であり、例えば、導電金具装置５０は、長手状の導電板と側片５１と速結端子金具５３，５４をそれぞれ別の部材として組み合わせたものであってもよい。
【００２６】
連結部２４は、ランプ受け部２３の底板に相当し、ランプ受け部２３と導電金具収納部２１を連結している。連結部２４は、ランプ受け部２３と導電金具収納部２１の間に、前述した中心片挿通口３３と側片挿通口３４を有している。中心片挿通口３３は、導電金具装置４０の中心片４１の形状を所定の形状、即ち、形状Ｘに保持したまま中心片４１を挿通可能な形状を有する。また、側片挿通口３４は、導電金具装置５０の側片５１の形状を一定の形状、即ち、形状Ｙに保持したまま側片５１を挿通可能な形状を有する。
【００２７】
絶縁部材からなるカバー６０は、導電金具収納部２１の開口部２２を閉塞する。カバー６０は、着脱可能であり、ねじ込みソケット１０の本体２０に取り付けられる際には、ネジ１３，１４で固定される。カバー６０には、突起部３５が設けられている。突起部３５は、ランプ受け部２３に装着されるランプ口金がランプ受け部２３の所定の位置より奥に装着されている場合に導電金具装置４０の中心片４１に当接するように突起している。したがって、突起部３５は、カバー６０がねじ込みソケット１０の本体２０に取り付けられた状態では、連結部２４の中心片挿通口３３からランプ受け部２３の内側に突出することとなる。
【００２８】
図５は、図３及び図４に対応するねじ込みソケット１０のＡ−Ａ断面組み立て図である。図６は、図３及び図４に対応するねじ込みソケット１０のＢ−Ｂ断面組み立て図である。
【００２９】
前述したように、ねじ込みソケット１０の本体２０は、ねじ込み方式のランプ口金を装着できる略円筒状のランプ受け部２３を有し、かつ、ランプ受け部２３の底面をなす連結部２４と、連結部２４を境にランプ受け部２３と逆側に開口部２２を設けた略箱上の導電金具収納部２１を有している。連結部２４には、導電金具装置４０の中心片４１及び導電金具装置５０の側片５１がねじ込みソケット１０の組み立て時（完成時）と同一の形状（即ち、形状Ｘ，Ｙ）を有している状態で、導電金具収納部２１側から挿通可能である中心片挿通口３３及び側片挿通口３４を設けてある。
【００３０】
図５において矢印で示しているように、中心片４１をもつ導電金具装置４０は、本体２０に対してランプ受け部２３の軸方向へ組み込んでいく。このとき、連結部２４の中心片挿通口３３は、その周壁と中心片４１の先端４２の間に、距離Ｌ１のクリアランスを設けたものとしている。これにより、中心片４１を中心片挿通口３３へ挿通可能にすることができる。このように、本実施の形態では、中心片挿通口３３の幅を、導電金具装置４０の導電板の長手方向における中心片４１の幅より大きく広げている。これにより、中心片挿通口３３に中心片４１を挿入する際、及び、中心片挿通口３３に中心片４１を挿通した後のいずれにおいても、中心片４１の形状を形状Ｘのまま保持することができる。そのため、本実施の形態では、導電金具装置４０をねじ込みソケット１０の本体２０の１方向から組み込むことができ、かつ、導電金具装置４０の組み込み後に、その中心片４１を折り曲げ加工することなく、ねじ込みソケット１０をそのまま照明器具７０に搭載して使用することができる。
【００３１】
導電金具装置４０を本体２０に組み込んだ後、他の部品を本体２０へ組み込む。その後、カバー６０で本体２０の導電金具収納部２１の開口部２２を閉塞し、ネジ１３，１４で本体２０とカバー６０を固定する。
【００３２】
上記のように、ねじ込みソケット１０を組み立てた後、ランプ口金をランプ受け部２３にねじ込んでいくと、図４（ｂ）に示したように、ランプ口金の先端部が中心片４１の先端４２に当接し、中心片４１が弾性変形していく。このとき、ランプ口金をランプ受け部２３の奥までねじ込みすぎると、中心片４１が中心片挿通口３３側に塑性変形してしまうので、カバー６０に突起部３５を設けてある。カバー６０には、さらに、中心片挿通口３３を略閉塞する閉塞部６１を設けてある。本実施の形態において、閉塞部６１を設けることは任意である。上記のように、本実施の形態では、カバー６０に突起部３５を設けることにより、ランプ口金をランプ受け部２３の奥へねじ込みすぎても、中心片４１の先端４２が突起部３５に当接し、中心片４１の塑性変形を防止できる。そのため、中心片挿通口３３の幅を、導電金具装置４０の導電板の長手方向における中心片４１の幅より大きく広げることが可能となり、前述したように、中心片４１の形状を形状Ｘに保持したまま中心片４１を中心片挿通口３３に挿通可能となる。
【００３３】
図６において矢印で示しているように、側片５１をもつ導電金具装置５０は、本体２０に対してランプ受け部２３の軸方向へ組み込んでいく。このとき、連結部２４の側片挿通口３４は、中心片挿通口３３と同様に、側片５１をそのまま挿通可能な大きさにしてある。このように、本実施の形態では、側片挿通口３４の幅を、導電金具装置５０の導電板の長手方向における側片５１の幅より大きく広げている。これにより、側片挿通口３４に側片５１を挿入する際、及び、側片挿通口３４に側片５１を挿通した後のいずれにおいても、側片５１の形状を形状Ｙのまま保持することができる。そのため、本実施の形態では、導電金具装置５０をねじ込みソケット１０の本体２０の１方向から組み込むことができ、かつ、導電金具装置５０の組み込み後に、その側片５１を折り曲げ加工することなく、ねじ込みソケット１０をそのまま照明器具７０に搭載して使用することができる。
【００３４】
以上のように、本実施の形態では、中心片４１及び側片５１をもつ導電金具装置４０，５０は、ねじ込みソケット１０の組み立て時と同一形状の状態で、本体２０の連結部２４に設けた中心片挿通口３３及び側片挿通口３４に導電金具収納部２１側から挿通可能であり、さらに、カバー６０には中心片挿通口３３からランプ受け部２３側へ突出可能にした突起部３５を設けて、中心片４１の塑性変形を防止してある。これにより、導電金具装置４０，５０を本体２０の導電金具収納部２１側から１方向に組み立て可能としている。そのため、ねじ込みソケット１０の組み立て後に、中心片４１の折り曲げ加工が必要ないので、組み立て作業が容易になり、組み立て作業費（後加工費）が安価になる。そして、その結果、低コストのソケットを提供することが可能となる。
【００３５】
図７（ａ）は、ねじ込みソケット１０が備える導電金具装置４０の斜視図、図７（ｂ）は、その導電金具装置４０の展開図である。以下に説明するように、図７（ｂ）に示す導電板の点線部分をそれぞれ折り曲げ加工することで、図７（ａ）に示す形状の導電金具装置４０を製造することができる（導電金具装置４０の製造方法）。
【００３６】
以下、導電金具装置４０の詳細について説明する。以下では、図７に示すように、長手状の導電板である平板の長手方向の両端をそれぞれ左側及び右側とし、短手方向の両端をそれぞれ上側及び下側として説明する。また、導電板の長手方向の両端をそれぞれ外側とし、中心部を内側として説明する。
【００３７】
導電金具装置４０は、速結端子金具４３として、導電板の左側の一部を上側から折り曲げ加工して左側に設けた折り曲げ片４５ａと、導電板の左側の一部を下側から折り曲げ加工して同じ側（左側）の折り曲げ片４５ａと対向するように左側に設けた折り曲げ対向部４６ａと、折り曲げ対向部４６ａの一部をさらに外側から折り曲げ加工して左側に設けた鎖錠片４７ａと、折り曲げ対向部４６ａの一部をさらに内側から折り曲げ加工して同じ側（左側）の鎖錠片４７ａと対向するように左側に設けた押圧片４８ａとを有する。同様に、導電金具装置４０は、速結端子金具４４として、導電板の右側の一部を上側から折り曲げ加工して右側に設けた折り曲げ片４５ｂと、導電板の右側の一部を下側から折り曲げ加工して同じ側（右側）の折り曲げ片４５ｂと対向するように右側に設けた折り曲げ対向部４６ｂと、折り曲げ対向部４６ｂの一部をさらに外側から折り曲げ加工して右側に設けた鎖錠片４７ｂと、折り曲げ対向部４６ｂの一部をさらに内側から折り曲げ加工して同じ側（右側）の鎖錠片４７ｂと対向するように右側に設けた押圧片４８ｂとを有する。
【００３８】
つまり、導電金具装置４０は、長手状の導電板の長手方向の左右を短手方向の上側から折り曲げて折り曲げ片４５ａ，ｂを形成している。そして、折り曲げ片４５ａ，ｂに対向するように、他方側から折り曲げた折り曲げ対向部４６ａ，ｂをもち、折り曲げ対向部４６ａ，ｂの左右端部のうち、導電板の長手方向の外側にある端部（折り曲げ対向部４６ａの場合は左端部、折り曲げ対向部４６ｂの場合は右端部）を折り曲げ片４５ａ，ｂに向き合うように折り曲げた鎖錠片４７ａ，ｂと、折り曲げ対向部４６ａ，ｂの左右端部のうち、導電板の長手方向の内側にある端部（折り曲げ対向部４６ａの場合は右端部、折り曲げ対向部４６ｂの場合は左端部）を折り曲げ片４５ａ，ｂに向き合うように折り曲げた押圧片４８ａ，ｂとをもち、１対の速結端子金具４３，４４を形成している。このように、導電金具装置４０は、左右の電線挿入口２９，３１から電線が挿入されると、折り曲げ片４５ａ，ｂと鎖錠片４７ａ，ｂと押圧片４８ａ，ｂとが電線を挟み込んで接続できるように構成されている。
【００３９】
本実施の形態では、中心片４１として、左側の折り曲げ対向部４６ａ（右側の折り曲げ対向部４６ｂでもよい）の折り曲げ加工された側から反対側に長手状の金属片が延設され、この金属片は、ランプ口金の先端部に接触可能な位置に届くように、少なくとも上側から折り曲げ加工されており、前述した形状Ｘを有している。中心片４１の先端４２は、ランプ口金の先端部に接触しやすいようにエンボス加工されている。また、本実施の形態では、中心片４１となる長手状の金属片を、その長手方向が導電板の長手方向と略平行となるように形成している。
【００４０】
つまり、中心片４１は、折り曲げ対向部４６ａ，ｂのうち、片側の折り曲げ対向部４６ａの折り曲げられた側の逆端から、導電板の長手方向に延設されている。さらに、中心片４１は、長手状であり、中心片４１の長手方向に折り曲げて形成されている。このように、中心片４１は、ねじ込みソケット１０のランプ受け部２３にランプ口金がねじ込まれると、中心片４１の先端４２がランプ口金の先端部に当接し、中心片４１がたわみ（図４（ｂ）の中心片４１´の状態になる）、ランプ９０を電気接続できるように形成されている。
【００４１】
このように、本実施の形態では、導電金具装置４０を、導電部材からなる平板を折り曲げ加工した一部材で形成しているため、安価なソケットを提供することが可能となる。
【００４２】
図８（ａ）は、ねじ込みソケット１０が備える導電金具装置５０の斜視図、図８（ｂ）は、その導電金具装置５０の展開図である。以下に説明するように、図８（ｂ）に示す導電板の点線部分をそれぞれ折り曲げ加工することで、図８（ａ）に示す形状の導電金具装置５０を製造することができる（導電金具装置５０の製造方法）。
【００４３】
以下、導電金具装置５０の詳細について説明する。以下では、図８に示すように、長手状の導電板である平板の長手方向の両端をそれぞれ左側及び右側とし、短手方向の両端をそれぞれ上側及び下側として説明する。また、導電板の長手方向の両端をそれぞれ外側とし、中心部を内側として説明する。
【００４４】
導電金具装置５０は、速結端子金具５３として、導電板の左側の一部を上側から折り曲げ加工して左側に設けた折り曲げ片５５ａと、導電板の左側の一部を下側から折り曲げ加工して同じ側（左側）の折り曲げ片５５ａと対向するように左側に設けた折り曲げ対向部５６ａと、折り曲げ対向部５６ａの一部をさらに外側から折り曲げ加工して左側に設けた鎖錠片５７ａと、折り曲げ対向部５６ａの一部をさらに内側から折り曲げ加工して同じ側（左側）の鎖錠片５７ａと対向するように左側に設けた押圧片５８ａとを有する。同様に、導電金具装置５０は、速結端子金具５４として、導電板の右側の一部を上側から折り曲げ加工して右側に設けた折り曲げ片５５ｂと、導電板の右側の一部を下側から折り曲げ加工して同じ側（右側）の折り曲げ片５５ｂと対向するように右側に設けた折り曲げ対向部５６ｂと、折り曲げ対向部５６ｂの一部をさらに外側から折り曲げ加工して右側に設けた鎖錠片５７ｂと、折り曲げ対向部５６ｂの一部をさらに内側から折り曲げ加工して同じ側（右側）の鎖錠片５７ｂと対向するように右側に設けた押圧片５８ｂとを有する。
【００４５】
本実施の形態では、側片５１として、左側の折り曲げ対向部５６ａ（右側の折り曲げ対向部５６ｂでもよい）の折り曲げ加工された側から反対側に長手状の金属片が延設され、この金属片は、ランプ口金のねじ部に接触可能な位置に届くように、少なくとも上側から折り曲げ加工されており、前述した形状Ｙを有している。また、本実施の形態では、側片５１となる長手状の金属片を、その長手方向が導電板の長手方向と略平行となるように形成している。
【００４６】
つまり、側片５１は、折り曲げ対向部５６ａ，ｂのうち、片側の折り曲げ対向部５６ａの折り曲げられた側の逆端から、導電板の長手方向に延設されている。さらに、側片５１は、長手状であり、側片５１の長手方向に折り曲げて、折り曲げ対向部５６ａの略垂直方向に配置されるように形成されている。このように、側片５１は、ねじ込みソケット１０のランプ受け部２３にランプ口金がねじ込まれると、側片５１がランプ口金のねじ部に当接し、側片５１がたわみ（図４（ｂ）の側片５１´の状態になる）、ランプ９０を電気接続できるように形成されている。
【００４７】
このように、本実施の形態では、導電金具装置５０を、導電部材からなる平板を折り曲げ加工した一部材で形成しているため、安価なソケットを提供することが可能となる。
【００４８】
本実施の形態では、ねじ込みソケット１０に、前述した導電金具装置４０と導電金具装置５０とを両方組み込んでいるが、いずれか一方を組み込むだけでも、部品点数が削減でき、安価なソケットを提供することが可能となる。
【００４９】
本実施の形態では、導電金具装置４０の中心片４１は、左側（所定の側）の折り曲げ対向部４６ａの折り曲げ加工された側から反対側に延設した長手状の金属片を折り曲げ加工したものである。そして、導電金具装置５０の側片５１は、左側（所定の側）の折り曲げ対向部５６ａの折り曲げ加工された側から反対側に延設した長手状の金属片を折り曲げ加工したものである。前述したように、導電金具装置４０と導電金具装置５０とは、それぞれの折り曲げ対向部４６ａ，５６ａの折り曲げ加工された側から反対側に向き合うように導電金具収納部２１に配置されている。即ち、導電金具装置４０の折り曲げ対向部４６ａ，ｂのうち、中心片４１が延設されている側と、導電金具装置５０の折り曲げ対向部５６ａ，ｂのうち、側片５１が延設されている側とが、左右逆側となり、中心片４１と側片５１とが向き合うように、導電金具装置４０と導電金具装置５０とが配置されている。これにより、導電金具装置４０と導電金具装置５０との間のスペースを有効活用することができる。つまり、中心片４１と側片５１とが向き合うように配置されているので、導電金具収納部２１の短軸方向の長さを、中心片４１と側片５１が重なっている分、短くすることが可能となる。したがって、ソケットを小型化することができる。
【００５０】
実施の形態２．
本実施の形態について、主に実施の形態１との差異を説明する。
【００５１】
図９（ａ）は、本実施の形態におけるねじ込みソケット１０の平面図、図９（ｂ）は、そのＡ−Ａ断面図である。
【００５２】
実施の形態１では、カバー６０に突起部３５が設けられているが、本実施の形態では、連結部２４に突起部３５が設けられている。突起部３５は、実施の形態１と同様に、ランプ受け部２３に装着されるランプ口金がランプ受け部２３の所定の位置より奥に装着されている場合に導電金具装置４０の中心片４１に当接するように突起している。したがって、突起部３５は、中心片挿通口３３の周縁部の一部をなすこととなる。
【００５３】
本実施の形態では、連結部２４は、ランプ口金がランプ受け部２３の所定の位置より奥に装着されている場合に突起部３５が中心片４１に当接する面と逆側の面に補強リブ３６を有している。突起部３５は、ランプ口金がランプ受け部２３の所定の位置よりも奥へねじ込まれた場合に、中心片４１の先端４２に当接し、中心片４１の塑性変形を防止するものであるが、このとき連結部２４には中心片４１の曲げ応力が加わる。そのため、上記のように補強リブ３６を設けることで、連結部２４の変形を防止することができる。
【００５４】
本実施の形態は、連結部２４に補強リブ３６を設けなくても一定の効果を奏するものである。よって、補強リブ３６を設けることは任意であるが、補強リブ３６を設けることで、より大きな効果を得ることができる。
【００５５】
図１０及び図１１は、図９に対応するねじ込みソケット１０のＡ−Ａ断面組み立て図である。図１２は、図９に対応するねじ込みソケット１０のＢ−Ｂ断面組み立て図である。
【００５６】
実施の形態１と同様に、ねじ込みソケット１０の本体２０は、ねじ込み方式のランプ口金を装着できる略円筒状のランプ受け部２３を有し、かつ、ランプ受け部２３の底面をなす連結部２４と、連結部２４を境にランプ受け部２３と逆側に開口部２２を設けた略箱上の導電金具収納部２１を有している。連結部２４には、導電金具装置４０の中心片４１及び導電金具装置５０の側片５１がねじ込みソケット１０の組み立て時（完成時）と同一の形状（即ち、形状Ｘ，Ｙ）を有している状態で、導電金具収納部２１側から挿通可能である中心片挿通口３３及び側片挿通口３４を設けてある。本実施の形態では、連結部２４には、さらに、突起部３５を設けてある。
【００５７】
図９（ｂ）に示したように、本体２０の連結部２４に設けた中心片挿通口３３は、中心片４１の先端４２が、ランプ受け部２３にランプ口金を装着した状態で、連結部２４に設けた突起部３５のランプ受け部２３側の面に当接可能なものとなっている。したがって、図１０に示すように、中心片挿通口３３の周壁の一部をなす突起部３５と中心片４１の先端４２の一部は、中心片４１を本体２０の導電金具収納部２１側からランプ軸方向に真っ直ぐに組み込もうとすると、距離Ｌ２だけ干渉するようになっている。そのため、中心片４１をもつ導電金具装置４０は、図１１（ａ）に示しているように、本体２０に組み込む前に、入力側と送り側の速結端子金具４３，４４のうち、中心片４１が延設されている速結端子金具４３の逆側である速結端子金具４４を略中心とし、中心片４１が延設されている速結端子金具４３側を角度θだけ回転させる。この回転操作により、連結部２４の突起部３５と中心片４１の先端４２の間に、距離Ｌ３のクリアランスが設けられる。その後、図１１（ｂ）に示しているように、導電金具装置４０を本体２０に組み込む過程で、導電金具装置４０の速結端子金具４３側の角度を元の位置に戻るように回転させながら、中心片４１を、徐々に中心片挿通口３３に挿通していく。このように、本実施の形態では、実施の形態１と同様に、中心片挿通口３３の形状を、中心片４１の形状を形状Ｘに保持したまま中心片４１を導電金具装置４０の導電板の長手方向に対して一定の角度に傾け、回転動作させながら挿通可能なものとしている。これにより、中心片挿通口３３に中心片４１を挿入する際、及び、中心片挿通口３３に中心片４１を挿通した後のいずれにおいても、中心片４１の形状を形状Ｘのまま保持することができる。そのため、本実施の形態では、導電金具装置４０をねじ込みソケット１０の本体２０の１方向から組み込むことができ、かつ、導電金具装置４０の組み込み後に、その中心片４１を折り曲げ加工することなく、ねじ込みソケット１０をそのまま照明器具７０に搭載して使用することができる。
【００５８】
導電金具装置４０を本体２０に組み込んだ後、他の部品を本体２０へ組み込む。その後、カバー６０で本体２０の導電金具収納部２１の開口部２２を閉塞し、ネジ１３，１４で本体２０とカバー６０を固定する。
【００５９】
上記のように、ねじ込みソケット１０を組み立てた後、ランプ口金をランプ受け部２３にねじ込んでいくと、図９（ｂ）に示したように、ランプ口金の先端部が中心片４１の先端４２に当接し、中心片４１が弾性変形していく。上記のように、本実施の形態では、連結部２４に突起部３５を設けることにより、ランプ口金をランプ受け部２３の奥へねじ込みすぎても、中心片４１の先端４２が突起部３５に当接し、中心片４１の塑性変形を防止できる。
【００６０】
図１２において矢印で示しているように、側片５１をもつ導電金具装置５０は、実施の形態１と同様に、本体２０に対してランプ受け部２３の軸方向へ組み込んでいく。このとき、連結部２４の側片挿通口３４は、中心片挿通口３３と異なり、側片５１をそのまま挿通可能な大きさにしてある。このように、本実施の形態では、実施の形態１と同様に、側片挿通口３４の幅を、導電金具装置５０の導電板の長手方向における側片５１の幅より大きく広げている。これにより、側片挿通口３４に側片５１を挿入する際、及び、側片挿通口３４に側片５１を挿通した後のいずれにおいても、側片５１の形状を形状Ｙのまま保持することができる。
【００６１】
以上のように、本実施の形態では、中心片４１を中心片挿通口３３に挿通するときに、中心片４１と突起部３５の間にクリアランスを設けるために導電金具装置４０を回転させることにより、中心片４１を変形することなく本体２０へ組み込むことができる。つまり、中心片４１をもつ導電金具装置４０に回転操作を加えながら、本体２０の導電金具収納部２１側から導電金具装置４０を組み込むことにより、中心片４１をねじ込みソケット１０の組み立て時と同一形状の状態で、本体２０の連結部２４に設けた中心片挿通口３３に導電金具収納部２１側から挿通可能であり、さらに、連結部２４にはランプ口金の装着時に中心片４１を当接可能にした突起部３５を設けて、中心片４１の塑性変形を防止してある。これにより、導電金具装置４０を本体２０の導電金具収納部２１側から１方向に組み立て可能としている。そのため、ねじ込みソケット１０の組み立て後に、中心片４１の折り曲げ加工が必要ないので、組み立て作業が容易になり、組み立て作業費（後加工費）が安価になる。そして、その結果、低コストのソケットを提供することが可能となる。
【００６２】
本実施の形態では、ランプ口金の装着時に中心片４１を当接可能にした突起部３５を連結部２４に設けているため、ランプ口金が必要以上にランプ受け部２３の奥にねじ込まれた場合には、中心片４１の曲げ応力を連結部２４のランプ受け部２３側の面で受けることができる。したがって、カバー６０には、中心片４１の曲げ応力が加わりにくくなり、本体２０とカバー６０を固定するネジ１３，１４の外れも防止することができる。
【００６３】
なお、本実施の形態では、導電金具装置４０を回転させて向きを調整しながら中心片４１を中心片挿通口３３に挿通させていくことで、導電金具装置４０を本体２０に組み込むこととしたが、実施の形態１と同様に、導電金具装置４０をランプ軸方向へ真っ直ぐに組み込んでいき、中心片４１を中心片挿通口３３へ挿通させた後、中心片挿通口３３の周壁の一部を中心片４１に近づけるようにスライドすることとしてもよい。つまり、連結部２４の突起部３５を左右方向にスライド可能なものとし、中心片４１を中心片挿通口３３へ挿通する際には、突起部３５をスライドして中心片挿通口３３の幅を広げる（例えば、実施の形態１と同様の幅まで広げればよい）。これにより、実施の形態１と同様に、中心片４１の形状を形状Ｘのまま保持した状態で、中心片４１を中心片挿通口３３に略垂直方向に挿入することができる（回転操作は不要である）。一方、中心片４１を中心片挿通口３３へ挿通した後は、突起部３５を逆方向にスライドして中心片挿通口３３の幅を狭める（例えば、実施の形態２と同様の幅まで狭めればよい）。これにより、実施の形態２と同様に、ランプ口金がランプ受け部２３の奥へ必要以上にねじ込まれた場合でも、中心片４１の先端４２が連結部２４の突起部３５に当接するため、中心片４１の塑性変形を防止することができる。
【００６４】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【００６５】
【図１】実施の形態１に係るランプソケットを搭載した照明器具の部分断面図である。
【図２】実施の形態１に係るランプソケットの分解斜視図である。
【図３】実施の形態１に係るランプソケットの底面図である。
【図４】実施の形態１に係るランプソケットの平面図及びＡ−Ａ断面図である。
【図５】実施の形態１に係るランプソケットのＡ−Ａ断面組み立て図である。
【図６】実施の形態１に係るランプソケットのＢ−Ｂ断面組み立て図である。
【図７】実施の形態１に係るランプソケットが備える導電金具装置の斜視図及び展開図である。
【図８】実施の形態１に係るランプソケットが備える導電金具装置の斜視図及び展開図である。
【図９】実施の形態２に係るランプソケットの平面図及びＡ−Ａ断面図である。
【図１０】実施の形態２に係るランプソケットのＡ−Ａ断面組み立て図である。
【図１１】実施の形態２に係るランプソケットのＡ−Ａ断面組み立て図である。
【図１２】実施の形態２に係るランプソケットのＢ−Ｂ断面組み立て図である。
【符号の説明】
【００６６】
１０  ねじ込みソケット、１１  解除ボタン、１２  解除ボタン、１３  ネジ、１４  ネジ、２０  本体、２１  導電金具収納部、２２  開口部、２３  ランプ受け部、２４  連結部、２５  ネジ穴、２６  ネジ穴、２７  ネジ山、２８  溝、２９  電線挿入口、３０  電線挿入口、３１  電線挿入口、３２  電線挿入口、３３  中心片挿通口、３４  側片挿通口、３５  突起部、３６  補強リブ、４０  導電金具装置、４１  中心片、４２  先端、４３  速結端子金具、４４  速結端子金具、４５ａ，ｂ  折り曲げ片、４６ａ，ｂ  折り曲げ対向部、４７ａ，ｂ  鎖錠片、４８ａ，ｂ  押圧片、５０  導電金具装置、５１  側片、５３  速結端子金具、５４  速結端子金具、５５ａ，ｂ  折り曲げ片、５６ａ，ｂ  折り曲げ対向部、５７ａ，ｂ  鎖錠片、５８ａ，ｂ  押圧片、６０  カバー、６１  閉塞部、７０  照明器具、８０  器具本体、９０  ランプ。
【図１】
2008300252.tif 000003
【図２】
2008300252.tif 000004
【図３】
2008300252.tif 000005
【図４】
2008300252.tif 000006
【図５】
2008300252.tif 000007
【図６】
2008300252.tif 000008
【図７】
2008300252.tif 000009
【図８】
2008300252.tif 000010
【図９】
2008300252.tif 000011
【図１０】
2008300252.tif 000012
【図１１】
2008300252.tif 000013
【図１２】
2008300252.tif 000014